(57)【要約】【課題】狭い浴室において施工が簡単であり、浴槽設置の際施工者にとって手間にならず、浴槽排水口と蓋部材の浴槽排出口の微細な位置ズレを円滑に解消できること。【解決手段】槽体である浴槽１と、浴槽１底面に開口された排水口２と、排水口２に取り付けられる排水栓３と、浴槽１を載置する浴槽パン４と、浴槽パン４に開口されて浴槽１からの排水と浴槽パン４上の排水を排出する第１排水口５と、から構成される浴室の排水構造において、前記排水栓３から第１排水口５まで連絡する水密管１１を構成し、水密管１１の下端に内方向に縮径するよう傾斜して凸出したガイド部１２、第１排水口５に構成された、内方向の下方に向かって縮径しつつ傾斜して構成された傾斜面６、から構成され、更には水密管１１のガイド部１２が第１排水口５の傾斜面６に当接して接続されることを特徴とする浴室の排水構造である。【選択図】  図１
2008267052.tif 000002
【特許請求の範囲】
【請求項１】
槽体である浴槽１と、
浴槽１底面に開口された排水口２と、
排水口２に取り付けられる排水栓３と、
浴槽１を載置する浴槽パン４と、
浴槽パン４に開口されて浴槽１からの排水と浴槽パン４上の排水を排出する第１排水口５と、
から構成される浴室の排水構造において、
前記排水栓３から第１排水口５まで連絡する水密管１１を構成し、水密管１１の下端に内方向に縮径するよう傾斜して凸出したガイド部１２、
第１排水口５に構成された、内方向の下方に向かって縮径しつつ傾斜して構成された傾斜面６、
から構成され、
更には水密管１１のガイド部１２が第１排水口５の傾斜面６に当接して接続されることを特徴とする浴室の排水構造。
【請求項２】
洗い場を形成する洗い場パン８と、
洗い場パン８に開口された洗い場パン８上の排水を排出する第２排水口９と、
洗い場パン８の第２排水口９に取り付けられて第２排水口９から排出された排水を下水へと排出する排水トラップ１０と、
前記浴槽パン４の第１排水口５に取り付けられて第１排水口５からの排水を排水トラップ１０へと排出させる排水エルボ７と、
を備えたことを特徴とする前記請求項１に記載の浴室の排水構造。
【請求項３】
前記水密管１１をジャバラ形状としたことを特徴とする請求項１又は請求項２に記載の浴室の排水構造。
【請求項４】
前記水密管１１を弾性素材から構成したことを特徴とする請求項１乃至は請求項３のいずれか一つに記載の浴室の排水構造。
【請求項５】
前記水密管１１の下端には、外側方向に凸出して構成されるフランジ部１４を構成したことを特徴とする請求項１乃至請求項４のいずれか一つに記載の浴室の排水構造。
【請求項６】
前記水密管１１のガイド部１２に、樹脂膜１３を構成したことを特徴とする請求項１乃至請求項５のいずれか一つに記載の浴室の排水構造。
【請求項７】
前記第１排水口５に、蓋部材１５を構成したことを特徴とする請求項１乃至請求項６のいずれか一つに記載の浴室の排水構造。
【請求項８】
前記蓋部材１５に、逆流防止装置１８を構成したことを特徴とする請求項７に記載の浴室の排水構造。
【発明の詳細な説明】
【技術分野】
【０００１】
本発明は、浴槽と浴槽を載置する防水パンを供えた浴室の排水構造に関するものである。
【背景技術】
【０００２】
従来から、図６乃至図８に示す浴室において備えられる排水構造は以下のような構造であった。
従来の浴室の排水構造は、浴槽と、排水栓と、浴槽パンと、洗い場パンと、排水エルボと、排水トラップと、水密管と、蓋部材と、から構成される。
浴槽は、内部に水を貯水する箱体であって、内部に貯水した排水を外部に排出させるための排水口を浴槽底面に開口して成る。
排水栓は、上端に外側方向に凸出するフランジを備えた部材であって、浴槽の排水口に取り付けられる口金である。
浴槽パンは、浴槽を載置する防水パンであって、底部に第１排水口を開口して成る。尚、第１排水口は、浴槽からの排水と浴槽パン上からの排水を外部に排出するための開口である。
洗い場パンは、洗い場を形成する防水パンであって、底部に第２排水口を開口して成る。尚、第２排水口は洗い場パン上の排水を外部に排出するための開口である。
排水トラップは、第２排水口の裏面に取り付けられる部材であって、内部に封水と呼ばれる排水を一時的に貯留して下水からの臭気や害虫を室内側へと逆流させない構成となっている。また、排水トラップは排水管に接続され、最終的には下水へと排出されるように構成されて成る。
排水エルボは、一端を第１排水口の裏面に取り付けられ、他端を後記する排水トラップに接続する断面視Ｌ字状の部材であって、浴槽と浴槽パンからの排水を排水トラップへと排出する部材である。又、排水エルボは排水トラップの封水部分に枝管として接続されるため、排水トラップと連動して常時封水が貯水する。
蓋部材は、第１排水口に取り付けられる浴槽排出口と浴槽パン排出口の２つの開口を構成した部材であって、浴槽パン排出口は浴槽パンからの排水のみを下流へ排水させる開口であって、逆流防止装置が備えられる。尚、当該逆流防止装置は、排水の水位により上昇／下降するフロート弁が用いられ、浴槽パンからの排水発生時はフロート弁が下降して円滑に排水エルボ側へ排出でき、逆に排水エルボ側の排水水位が上昇すれば、排水の水位に併せてフロート弁が上昇し、蓋部材の浴槽パン排出口を封止し、排水エルボ側の排水が浴槽パン側へと逆流しないように構成されている。また、蓋部材の他方の開口は浴槽からの排水のみを通過させる浴槽排出口を開口して成る。
水密管は、上端を排水栓に取り付る管体であって、下端を第１排水口の蓋部材の浴槽排出口に接続して構成される。
【０００３】
このような浴室の排水構造においては以下のように施工配置される。
浴槽パンの第１排水口には排水エルボ、洗い場パンの第２排水口には排水トラップをそれぞれ予め取り付けておき、排水エルボと排水トラップは管体によって接続される。その後浴室に洗い場パンと浴槽パンを設置し、浴槽パンの第１排水口に蓋部材を取り付ける。また、浴槽は予め排水口に排水栓を取り付けて、当該排水栓下端には水密管を接続しておく。その後浴槽パンの上部に浴槽を載置する。このとき、浴槽パンの第１排水口に取り付けられた蓋部材の浴槽排出口に、浴槽の排水栓の水密管の開口が上面視合致するよう浴槽の位置を微調整しつつ浴槽を浴槽パン上に載置する。このようにすることで、浴槽中の排水口が蓋部材の浴槽排出口と連通されるようになる。その後、排水トラップと下水管を排水管で接続させ、浴槽と浴槽パンと洗い場パンの間にエプロンを取り付けて施工が完了する。
【０００４】
前記の従来の浴室の排水構造においては、以下のような排水の流れとなる。
浴槽から発生した排水は浴槽の排水口から浴槽外へ排出され、浴槽の排水口に取り付けられた排水栓を通過し、水密管を介して蓋部材の浴槽排出口から浴槽パンの第１排水口外へ排出され、排水エルボ内部を通過し、排水トラップへと排出される。その後排水トラップ内の排水は封水を介して排水トラップ外へ排出される。そして、排水トラップ内の排水は最終的に排水管を介して下水管へと排出される。
【０００５】
【特許文献１】特開平３−２６０２３０号公報
【特許文献２】特開２００１−２４１０７９号公報
【発明の開示】
【発明が解決しようとする課題】
【０００６】
従来例のような浴室の排水構造は、以下のような問題点があった。
通常の浴室においては、浴槽と浴槽パンの施工・取付の際は浴室内の狭い箇所で行われることが多いが、この従来例の浴室の排水構造は浴槽自身を動かして、浴槽側の排水口に接続された水密管と浴槽パンの第１排水口側に取り付けられた蓋部材の浴槽排出口の接続の為の位置合わせを行わなければならない。しかしながらこのような狭い箇所で施工しようとしても場所が狭い上に重い浴槽などを持ち上げて施工しなければならないことが多く、作業者・施工者にとって非常に施工しづらいものであった。
また、浴槽を移動させつつ施工せねばならないのに、浴槽の大きさと比較して蓋部材の浴槽排出口が小さく、施工者にとっては大きい浴槽を動かして小さい浴槽排出口に合致させることは非常に難しく、微妙に位置ズレしたまま施工されてしまうことも多く、このように位置ズレしたまま施工されてしまうと、浴槽の排水が浴槽パン上に漏れてしまう。そして、浴槽パンは、洗い場パンとエプロンなどで区画が分割されているので、使用者にとってメンテナンスできにくい上、洗いにくい箇所となってしまう。従って、浴槽パン上が排水によって汚れてしまい、異臭などの原因となることもあった。
【０００７】
従って、本発明の浴室の排水構造は、以下の課題を解決するために発明された。
１．狭い浴室において施工が簡単であること。
２．浴槽設置の際に、施工者にとって手間にならないこと。
３．浴槽排水口と蓋部材の浴槽排出口の微細な位置ズレを円滑に解消できること。
【課題を解決するための手段】
【０００８】
請求項１に記載の本発明は、槽体である浴槽１と、浴槽１底面に開口された排水口２と、排水口２に取り付けられる排水栓３と、浴槽１を載置する浴槽パン４と、浴槽パン４に開口されて浴槽１からの排水と浴槽パン４上の排水を排出する第１排水口５と、から構成される浴室の排水構造において、前記排水栓３から第１排水口５まで連絡する水密管１１を構成し、水密管１１の下端に内方向に縮径するよう傾斜して凸出したガイド部１２、第１排水口５に構成された、内方向の下方に向かって縮径しつつ傾斜して構成された傾斜面６、から構成され、更には水密管１１のガイド部１２が第１排水口５の傾斜面６に当接して接続されることを特徴とする浴室の排水構造である。
【０００９】
請求項２に記載の本発明は、洗い場を形成する洗い場パン８と、洗い場パン８に開口された洗い場パン８上の排水を排出する第２排水口９と、洗い場パン８の第２排水口９に取り付けられて第２排水口９から排出された排水を下水へと排出する排水トラップ１０と、前記浴槽パン４の第１排水口５に取り付けられて第１排水口５からの排水を排水トラップ１０へと排出させる排水エルボ７と、を備えたことを特徴とする前記段落０００８に記載の浴室の排水構造である。
【００１０】
請求項３に記載の本発明は、前記水密管１１をジャバラ形状としたことを特徴とする前記段落０００８又は段落０００９に記載の浴室の排水構造である。
【００１１】
請求項４に記載の本発明は、前記水密管１１を弾性素材から構成したことを特徴とする前記段落０００８乃至段落００１０のいずれか一つに記載の浴室の排水構造である。
【００１２】
請求項５に記載の本発明は、前記水密管１１の下端には、外側方向に凸出して構成されるフランジ部１４を構成したことを特徴とする前記段落０００８乃至段落００１１のいずれか一つに記載の浴室の排水構造である。
【００１３】
請求項６に記載の本発明は、前記水密管１１のガイド部１２に、樹脂膜１３を構成したことを特徴とする前記段落０００８乃至段落００１２のいずれか一つに記載の浴室の排水構造である。
【００１４】
請求項７に記載の本発明は、前記第１排水口５に、蓋部材１５を構成したことを特徴とする前記段落０００８乃至段落００１３のいずれか一つに記載の浴室の排水構造である。
【００１５】
請求項８に記載の本発明は、前記蓋部材１５に、逆流防止装置１８を構成したことを特徴とする前記段落００１４に記載の浴室の排水構造である。
【発明の効果】
【００１６】
本発明の浴室の排水構造は以下の効果を奏する。
請求項１に記載の浴室の排水構造は、排水栓３から第１排水口５まで連絡する水密管１１を構成し、水密管１１の下端に内方向に縮径するよう傾斜して凸出したガイド部１２、第１排水口５に構成された、内方向の下方に向かって縮径しつつ傾斜して構成された傾斜面６、から構成し、更には水密管１１のガイド部１２が第１排水口５の傾斜面６に当接して接続して構成したことから、水密管１１と第１排水口５の接続時に、水密管１１のガイド部１２が第１排水口５の傾斜面６に沿うように移動し、水密管１１の中心軸と第１排水口５の中心軸が合致するように配置され、施工時の微細な位置ズレ解消の手間や労力が省かれるようになった。
請求項２に記載の浴室の排水構造は、洗い場を形成する洗い場パン８と、洗い場パン８に開口された洗い場パン８上の排水を排出する第２排水口９と、洗い場パン８の第２排水口９に取り付けられて第２排水口９から排出された排水を下水へと排出する排水トラップ１０と、前記浴槽パン４の第１排水口５に取り付けられて第１排水口５からの排水を排水トラップ１０へと排出させる排水エルボ７と、から構成したので、浴槽パン４と洗い場パン８から成る分割型防水パンにも対応できるようになった。
請求項３に記載の浴室の排水構造は、水密管１１をジャバラ形状としたことから、水密管１１と第１排水口５の軸中心がわずかにずれていても、水密管１１がジャバラ形状となっているので両者の中心軸のズレを吸収することが出来る。従って、浴室の施工が省略化することができる。
請求項４に記載の浴室の排水構造は、水密管１１を弾性素材から構成したことから、水密管１１と第１排水口５の軸中心がわずかにずれていても、水密管１１が弾性素材なので、両者の中心軸のズレを吸収することが出来る。従って、浴室の施工が省略化することができる。
請求項５に記載の浴室の排水構造は、水密管１１の下端に、外側方向に凸出して構成されるフランジ部１４を構成したことから、フランジ部１４と第１排水口５の上面に止水面が構成されるので、水密管１１と第１排水口５の止水性が向上する。
請求項６に記載の浴室の排水構造は、水密管１１のガイド部１２に、樹脂膜１３を構成したことから、樹脂膜１３によって第１排水口５の周縁や傾斜面６で円滑に滑るようになり、より水密管１１のガイド部１２が第１排水口５の傾斜面６に合致しやすくなった。従って、浴室の施工が省略化することができる。
請求項７に記載の浴室の排水構造は、前記第１排水口５に、蓋部材１５を構成したことから、浴槽１からの排水の入り口と、浴槽パン４の排水の入り口を分けることが出来る。
【実施例】
【００１７】
本実施例に示す浴室の排水構造は、図１乃至図５に示す浴室において備えられ、以下の様な構成である。
本実施例の浴室の排水構造は、浴槽１と、排水栓３と、浴槽パン４と、洗い場パン８と、排水エルボ７と、排水トラップ１０と、水密管１１と、蓋部材１５と、から構成される。
浴槽１は、内部に水を貯水する箱体であって、内部に貯水した排水を外部に排出させるための排水口２を浴槽１底面に開口して成る。
排水栓３は、上端に外側方向に凸出するフランジ部１４を備えた部材であって、浴槽１の排水口２に取り付けられる口金である。
浴槽パン４は、浴槽１を載置する防水パンであって、底部に第１排水口５を開口して成る。尚、第１排水口５は、浴槽１からの排水と浴槽パン４上からの排水を外部に排出するための開口である。
洗い場パン８は、洗い場を形成する防水パンであって、底部に第２排水口９を開口して成る。尚、第２排水口９は洗い場パン８上の排水を外部に排出するための開口である。
排水トラップ１０は、第２排水口９の裏面に取り付けられる部材であって、内部に封水と呼ばれる排水を一時的に貯留して下水からの臭気や害虫を室内側へと逆流させない構成となっている。また、排水トラップ１０は排水管に接続され、最終的には下水へと排出されるように構成されて成る。
排水エルボ７は、一端を第１排水口５の裏面に取り付けられ、他端を後記する排水トラップ１０に接続する断面視Ｌ字状の部材であって、浴槽１と浴槽パン４からの排水を排水トラップ１０へと排出する部材である。又、排水エルボ７は排水トラップ１０の封水部分に枝管として接続されるため、排水トラップ１０と連動して常時封水が貯水する。
蓋部材１５は、図２に示すように、第１排水口５に取り付けられる浴槽排出口１６と浴槽パン４排出口の２つの開口を構成した部材である。浴槽パン排出口１７は浴槽パン４からの排水を下流へ排水させる開口であって、逆流防止装置１８が備えられる。尚、当該逆流防止装置１８は、排水の水位により上昇／下降するフロート弁が用いられ、浴槽パン４からの排水発生時はフロート弁が下降して円滑に排水エルボ７側へ排出でき、逆に排水エルボ７側の排水水位が上昇すれば、排水の水位に併せてフロート弁が上昇し、蓋部材１５の浴槽パン排出口１７を封止し、排水エルボ７側の排水が浴槽パン４側へと逆流しないように構成されている。また、蓋部材１５の浴槽排出口１６は浴槽１からの排水を通過させる浴槽排出口１６を開口して成る。尚、浴槽排出口１６の開口縁は、内方向下方に向かって縮径しつつ傾斜する傾斜面６を構成している。
水密管１１は、図２のように上端を排水栓３に取り付る管体であって、下端を第１排水口５の蓋部材１５の浴槽排出口１６に接続して構成される。そして、水密管１１は弾性を備える素材から成り、本実施例では弾性を有するゴムから構成される。又、水密管１１はジャバラ状であって、当該ジャバラ形状により、浴槽１の排水口２と浴槽排出口１６の中心軸の軸ズレをある程度吸収するように構成されている。そして、水密管１１の下端内周には、内方向の下方に向かって傾斜して凸出して構成されるガイド部１２を構成している。当該ガイド部１２には、摺動性が良い素材から成る樹脂膜１３が被膜されており、蓋部材１５の浴槽排出口１６の傾斜面６に当接する。そして、水密管のガイド部１２の情報に、外側方向に向かって凸出して構成されるフランジ部１４を構成して成る。尚、当該フランジ部１４は、蓋部材１５の浴槽排出口１６上縁部付近に水密的に当接して、浴槽１からの排水を浴槽パン４上に漏れ出させないように止水面が構成される。
【００１８】
このような浴室の排水構造においては図３乃至図５に示すように以下のように施工配置される。
浴槽パン４の第１排水口５には排水エルボ７、洗い場パン８の第２排水口９には排水トラップ１０をそれぞれ予め取り付けておき、排水エルボ７と排水トラップ１０は管体によって接続される。その後浴室に洗い場パン８と浴槽パン４を設置し、浴槽パン４の第１排水口５に蓋部材１５を取り付ける。また、図３のように浴槽１は予め排水口２に排水栓３を取り付けて、当該排水栓３下端には水密管１１を接続しておく。その後浴槽パン４の上部に浴槽１を載置する。このとき、浴槽パン４の第１排水口５に取り付けられた蓋部材１５の浴槽排出口１６に、浴槽１の排水栓３の水密管１１の開口が上面視合致するよう浴槽１の位置を微調整しつつ浴槽１を浴槽パン４上に載置する。このようにすることで、浴槽１中の排水口２が蓋部材１５の浴槽排出口１６と連通されるようになる。このとき、図４に示したように、水密管１１のガイド部１２が、蓋部材１５の浴槽排出口１６の傾斜面６に沿うように下方に滑り、図５に示すように傾斜面６の傾斜とガイド部１２の傾斜が合致し、水密管１１と蓋部材１５の浴槽排出口１６は水密的にシールされる。そして、水密管１１のフランジ部１４が蓋部材１５の浴槽排出口１６の上面周縁に当接し、より水密化を図ることが出来る。尚、水密管１１のガイド部１２には樹脂膜１３が被膜されているので、浴槽排出口１６の傾斜面６に当接した際、ガイド部１２が円滑に摺動して水密管１１が浴槽排出口１６の軸中心に位置できるようガイドするものである。
このように接続するから、狭い浴室内で水密管１１と浴槽排出口１６の設置・接続を行っても、簡単に接続できるようになる。
その後、排水トラップ１０と下水管を排水管で接続させ、浴槽１と浴槽パン４と洗い場パン８の間にエプロンを取り付けて施工が完了する。
【００１９】
前記実施例の浴室の排水構造においては、以下のような排水の流れとなる。
浴槽１から発生した排水は浴槽１の排水口２から浴槽１外へ排出され、浴槽１の排水口２に取り付けられた排水栓３を通過し、水密管１１を介して浴槽パン４の第１排水口５に設置された蓋部材１５の浴槽排出口１６から浴槽パン４の第１排水口５外へ排出され、排水エルボ７内部を通過し、排水トラップ１０へと排出される。その後排水トラップ１０内の排水は封水を介して排水トラップ１０外へ排出される。そして、排水トラップ１０内の排水は最終的に排水管を介して下水管へと排出される。
浴槽パン４に発生した排水は、浴槽パン４の第１排水口５に設置された蓋部材１５の浴槽パン排出口１７から、逆流防止装置１８を介して排水エルボ７側へと排出される。排水エルボ７内に流入した排水は、排水エルボ７内を通過して排水トラップ１０へと流入し、封水を介して最終的には排水トラップ１０内の排水は排水管を介して下水管へと排出される。
また、洗い場パン８からの排水は、洗い場パン８の第２排水口９から、第２排水口９に取り付けられた排水トラップ１０内に流入する。そして、排水トラップ１０内の封水と排水管を介して最終的には下水管へと排出される。
また、例えば洗い場パン８から多量の排水があった場合に、洗い場パン８の第２排水口９に取り付けられた排水トラップ１０の排水流量が追いつかずに、浴槽パン４の第１排水口５に取り付けられた排水エルボ７側に排水が逆流することがある。排水エルボ７内の排水が逆流すると、浴槽パン４側へ排水が逆流してしまうが、本実施例では浴槽パン４の第１排水口５に蓋部材１５を設けて、浴槽パン４との流通開口である浴槽パン排出口１７にフロート弁から成る逆流防止装置１８を備えているから、排水の水位が上がると共に逆流防止装置１８のフロート弁が上昇し、浴槽パン排出口１７を水密的に封止するので、浴槽パン４側へ排水が逆流することはない。尚、当該逆流防止装置１８は、通常時（排水が逆流していないとき）フロート弁はその自重により降下して、浴槽パン４に排水が発生しても、フロート弁は降下しているので、円滑に浴槽パン４上の排水は、浴槽パン４の第１排水口５蓋部材１５の浴槽パン排出口１７から排水エルボ７側へと排水が排出されるようになっている。
【００２０】
本発明の浴室の排水構造は、上記の実施例の他にも、特許請求の範囲を逸脱しない範囲で適宜設計変更をすることは可能である。
例えば、上記実施例では、浴槽１の排水口２に遠隔操作式排水栓装置を備えていないが、これらの装置を備えた排水構造でもかまわない。
また、前記実施例では、洗い場パン８と浴槽パン４の２分割パンによって構成されているが、浴槽パン４と洗い場パン８が一体的に構成された一体パンでも構わない。
【図面の簡単な説明】
【００２１】
【図１】本発明の施工状態を示す断面図である。
【図２】本発明の、図１におけるＡ部拡大断面図である。
【図３】本発明の施工時の手順を示す部分断面図である。
【図４】本発明の施工時の手順を示す部分断面図である。
【図５】本発明の施工状態を示す部分拡大断面図である。
【図６】従来例を示す断面図である。
【図７】従来例を示す断面図である。
【図８】従来例を示す断面図である。
【符号の説明】
【００２２】
１    浴槽
２    排水口
３    排水栓
４    浴槽パン
５    第１排水口
６    傾斜面
７    排水エルボ
８    洗い場パン
９    第２排水口
１０  排水トラップ
１１  水密管
１２  ガイド部
１３  樹脂膜
１４  フランジ部
１５  蓋部材
１６  浴槽排出口
１７  浴槽パン排出口
【図１】
2008267052.tif 000003
【図２】
2008267052.tif 000004
【図３】
2008267052.tif 000005
【図４】
2008267052.tif 000006
【図５】
2008267052.tif 000007
【図６】
2008267052.tif 000008
【図７】
2008267052.tif 000009
【図８】
2008267052.tif 000010